(57)【特許請求の範囲】
【請求項１】
カメラ及びその付属品を梱包すると共に、当該梱包状態で陳列展示が可能なカメラ販売用パッケージであって、
前記カメラを収容するカメラ用凹陥部及び前記付属品を収容する付属品用凹陥部がそれぞれ別々に設けられた本体と、
前記本体に重ね合わされ、それぞれの凹陥部への収容物を保護する保護カバーと、を有し、
前記保護カバーにおける前記付属品用凹陥部と対向する面から連続して、前記カメラ用凹陥部と対向する面の周囲に、転倒時のカメラ保護用の突起部が形成されており、
前記本体の背面には、周囲に接近した状態で突起部が形成されており、この突起部が支えとなって、梱包が完了した製品は立てかけられた状態で陳列展示されることを特徴とするカメラ販売用パッケージ。
【請求項２】
前記梱包が完了した製品が立てかけられたとき、下部に比較的重い付属品用凹陥部が位置していることを特徴とする請求項１に記載のカメラ販売用パッケージ。
【請求項３】
前記カメラ用凹陥部には、収容されるカメラのファイダー位置に先端面が透明とされた筒状の突起部が形成され、前記先端面がファインダー覗き部とされると共に筒状の突起部が転倒時の緩衝体となることを特徴とする請求項１又は請求項２に記載のカメラ販売用パッケージ。
【請求項４】
前記本体及び保護カバーの周囲には、フランジがそれぞれ設けられ、このフランジ同士を重ね合わせた状態で、所定間隔又は連続的に超音波溶着によって接合することを特徴とする請求項１乃至請求項３の何れか１項に記載のカメラ販売用パッケージ。
【請求項５】
前記フランジの角部近傍における前記所定間隔での超音波溶着の溶着点を、他の領域よりも増加したことを特徴とする請求項４記載のカメラ販売用パッケージ。
【請求項６】
前記カメラ用凹陥部の周縁には、前記本体と保護カバーとの位置合わせのための凹凸部が形成されていることを特徴とする請求項１乃至請求項５の何れか１項記載のカメラ販売用パッケージ。
【請求項７】
前記凹凸部を基準として、本体と保護カバーとの間には商品の広告を兼ねた台紙が挟持されることを特徴とする請求項６記載のカメラ販売用パッケージ。
【請求項８】
前記本体及び保護カバーは、透明又は半透明とされ、紫外線カット処理が施されていることを特徴とする請求項１乃至請求項７の何れか１項記載のカメラ販売用パッケージ。
【請求項９】
前記保護カバー表面は、真空成形により大きな曲率半径のかまぼこ型曲面とされ、かつ前記保護カバーからフランジへと至る階段形状の山側をＲ形状、谷側を逆Ｒ形状としたことを特徴とする請求項１乃至請求項８の何れか１項記載のカメラ販売用パッケージ。
【請求項１０】
前記カメラ用凹陥部には、収容されるカメラのＡＣ電源接続位置に、ＡＣアダプタ接続用、かつパッケージ内エア抜き用の貫通孔が設けられていることを特徴とする請求項１乃至請求項９の何れか１項記載のカメラ販売用パッケージ。
【請求項１１】
前記カメラ用凹陥部を周囲の辺に対して傾斜させ、縦型及び横型のカメラの兼用凹陥部としたことを特徴とする請求項１乃至請求項１０何れか１項記載のカメラ販売用パッケージ。
【請求項１２】
前記本体と保護カバーとの一辺がつながっており、この一辺を折り返し部として、開閉可能とされた請求項１乃至請求項１１の何れか１項記載のカメラ販売用パッケージ。
【発明の詳細な説明】
【０００１】
【発明の属する技術分野】
本発明は、カメラ及びその付属品を梱包すると共に、当該梱包状態で店頭への陳列展示が可能なカメラ販売用パッケージに関する。
【０００２】
【従来の技術及び発明が解決しようとする課題】
従来、カメラやデジタルカメラ等の精密品は、ディスプレイ用として各機種を陳列台等に陳列し、注文があると倉庫等から既に梱包された商品を運び、販売していた。
【０００３】
ところで、近年、大型量販店が増加し、多くの商品を予め陳列しておき、客はその中から必要なものを選択して、所謂レジに並んで購入する形態が一般化しつつある。この場合、商品が発泡スチロール等の緩衝部材に厳重に保護され、さらに箱等によってパッケージングされていては、消費者の目にとまらず、商品の価値をアピールすることができない。
【０００４】
そこで、ブリスターパックと称される、透明又は半透明の合成樹脂（プラスチック等）によってパッケージングし、陳列とディスプレイとを同時に行うことができる販売形態が増加している。
【０００５】
このような、販売形態は、前記カメラや携帯用電子機器等の精密機械品においても行われている。
【０００６】
しかしながら、カメラ、特にデジタルカメラにおいては、マニュアル本が数冊あり、ＡＣアダプタ、ＮＴＳＣビデオ出力コード、パーソナルコンピュータへの接続コード等の他の商品に比べて付属品が多く存在するため、これらを含めたパッケージングが必要となる。
【０００７】
本発明は上記事実を考慮し、カメラ等の精密品、特に付属品が多くあるデジタルカメラをブリスターパックによって展示陳列する場合に、展示状態で見栄えを損なうことなく、効率よくカメラ本体及び付属品を収容することができるカメラ販売用パッケージを得ることが目的である。
【０００８】
【課題を解決するための手段】
請求項１に記載の発明は、カメラ及びその付属品を梱包すると共に、当該梱包状態で陳列展示が可能なカメラ販売用パッケージであって、前記カメラを収容するカメラ用凹陥部及び前記付属品を収容する付属品用凹陥部がそれぞれ別々に設けられた本体と、前記本体に重ね合わされ、それぞれの凹陥部への収容物を保護する保護カバーと、を有し、前記保護カバーにおける前記付属品用凹陥部と対向する面から連続して、前記カメラ用凹陥部と対向する面の周囲に、転倒時のカメラ保護用の突起部が形成されており、前記本体の背面には、周囲に接近した状態で突起部が形成されており、この突起部が支えとなって、梱包が完了した製品は立てかけられた状態で陳列展示されることを特徴としている。
【０００９】
請求項１に記載の発明によれば、カメラを収容するカメラ用凹陥部と、付属品を収容する付属品用凹陥部を別々に形成したため、これらが混在することはなく、展示の主対象となるカメラを見栄えよく、展示することができる。
【００１０】
また、カメラ凹陥部にカメラを収容し、保護カバーによって遮蔽しているため、外部からの衝撃に対して損傷するようなことはなく、商品価値を下げることはない。
【００１１】
さらに、ブリスターパックは、一般的に吊り下げ展示しているが、その内の１つを、例えば目玉商品とし吊り下げ展示している前方のテーブルに消費者に見易いように展示することがなされる。このとき、突起部を設けておけば、立てかけることができ、商品と消費者と対向させることができる。
【００１２】
また、立てかけた以上、何らかの外部からの力により転倒することはある。そこで、転倒しても、少なくともカメラに衝撃が加わらないように、カメラの周囲に突起部を形成しておく。この突起部がカメラの緩衝部材としての役目を有し、カメラを保護することができる。
【００１３】
請求項２に記載の発明は、前記梱包が完了した製品が立てかけられたとき、下部に比較的重い付属品用凹陥部が位置していることを特徴としている。
【００１４】
請求項２に記載の発明では、前記梱包が完了した製品が立てかけられたとき、下部に比較的重い付属品用凹陥部が位置しており、重心が低いため、転倒することがない。
【００１５】
請求項３に記載の発明は、前記カメラ用凹陥部には、収容されるカメラのファイダー位置に先端面が透明とされた筒状の突起部が形成され、前記先端面がファインダー覗き部とされると共に筒状の突起部が転倒時の緩衝体となることを特徴としている。
【００１６】
請求項３に記載の発明では、前記カメラのファインダーを覗くためには、貫通孔を設けてもよいが、ここでは、ファインダー位置に筒状の突起部を設け、先端面を透明した。これにより、透明の先端面からファインダーを覗くことができると共に、筒状の突起部が転倒時の緩衝部材としての役目を有することができる。
【００１７】
請求項４に記載の発明は、前記本体及び保護カバーの周囲には、フランジがそれぞれ設けられ、このフランジ同士を重ね合わせた状態で、所定間隔又は連続的に超音波溶着によって接合することを特徴としている。
【００１８】
請求項４に記載の発明では、フランジ同士を超音波溶着とすることで、従来の高周波溶着のために必要な電磁波が不要となり、カメラ等の精密品を保護することができる。
【００１９】
請求項５に記載の発明は、前記フランジの角部近傍における前記所定間隔での超音波溶着の溶着点を、他の領域よりも増加したことを特徴としている。
【００２０】
請求項５に記載の発明では、前記フランジの角部近傍における前記所定間隔での超音波溶着の溶着点を、他の領域よりも増加することで、角部に加わる応力に対抗した。
【００２１】
請求項６に記載の発明は、前記カメラ用凹陥部の周縁には、前記本体と保護カバーとの位置合わせのための凹凸部が形成されていることを特徴としている。
【００２２】
請求項６に記載の発明では、前記カメラ用凹陥部の周縁には、前記本体と保護カバーとの位置合わせのための凹凸部が形成されている。カメラの近傍に位置合わせ基準をとることで、他の位置が多少ずれたとしても、メインの商品であるカメラを確実の収容することができる。
【００２３】
請求項７に記載の発明は、前記凹凸部を基準として、本体と保護カバーとの間には商品の広告を兼ねた台紙が挟持されることを特徴としている。
【００２４】
請求項７に記載の発明では、前記凹凸部を基準として、本体と保護カバーとの間には商品の広告を兼ねた台紙が挟持される。この台紙には、商品としてのカメラの宣伝広告がプリントして宣伝効果があげることもできるし、ブリスターパックという安価感を解消するような図柄をプリントすることもできる。
【００２５】
請求項８に記載の発明は、前記本体及び保護カバーは、透明又は半透明とされ、紫外線カット処理が施されていることを特徴としている。
【００２６】
請求項８に記載の発明では、紫外線カット処理を施すことで、長時間展示陳列することで、収容されたカメラや付属品が色褪せたりすることがなくなる。
【００２７】
請求項９に記載の発明は、前記保護カバー表面は、真空成形により大きな曲率半径のかまぼこ型曲面とされ、かつ前記保護カバーからフランジへと至る階段形状の山側をＲ形状、谷側を逆Ｒ形状としたことを特徴としている。
【００２８】
請求項９に記載の発明では、消費者が把持したときに、エッジ部分がなく、違和感がない。また、美的感覚にも優れており、高級感をかもし出すことができる。
【００２９】
請求項１０に記載の発明は、前記カメラ用凹陥部には、収容されるカメラのＡＣ電源接続位置に、ＡＣアダプタ接続用、かつパッケージ内エア抜き用の貫通孔が設けられていることを特徴としている。
【００３０】
請求項１０に記載の発明では、例えば、カメラがデジタルカメラである場合、被写体をＬＣＤ表示部に表示するため、多くの電力を必要とする。展示しているときに、この表示状態を消費者に見せたい場合、パッケージからデジタルカメラを取り出すのは面倒であり、一旦取り出すと商品価値が下がることもある。そこで、予めＡＣアダプタ接続用の貫通孔を設けておけば、パッケージングのままカメラに外部から電力を供給することができる。なお、パッケージングには、本体と保護カバーとの固着状態を強固とするためのエア抜きのための貫通孔が必須であるため、このエア抜き用貫通孔とＡＣアダプタ接続用の貫通孔とを共通とすればよい。
【００３１】
請求項１１に記載の発明は、前記カメラ用凹陥部を周囲の辺に対して傾斜させ、縦型及び横型のカメラの兼用凹陥部としたことを特徴としている。
【００３２】
請求項１１に記載の発明では、斜めにすれば、縦型のカメラも横型のカメラも違和感なく収容することができ、パッケージを共通化することができる。
【００３３】
請求項１２に記載の発明は、前記本体と保護カバーとの一辺がつながっており、この一辺を折り返し部として、開閉可能とされている。
【００３４】
請求項１１に記載の発明では、本体と保護カバーとは、直線状の一辺において連結されており、見開き状態でカメラや付属品を収容し、前記一辺を中心に保護カバーを回転させることでパッケージングを終了することができるため、作業性が向上する。なお、保護カバーの回転軌跡に変動がないような連結状態であれば、他の位置決め手段は不要であり、保護カバーの回転軌跡が大きく変動するような連結状態では、別途位置決め手段が必要である。
【００３５】
【発明の実施の形態】
図１乃至図３には、本実施の形態に係るカメラ販売用パッケージ（以下、ブリスターパックという）１０が示されている。
【００３６】
ブリスターパック１０は、本体１２と保護カバー１４の透明な２部材構成なっており、半透明部分が混在してもよい。この本体１２と保護カバー１４とが重ね合わされることで、カメラ１６及び付属品１８収容することができる。ブリスターパック１０の上端部には、長孔２０が設けられ、フック等への吊り下げ展示用として適用可能となっている。なお、本実施の形態では、カメラ１６としてデジタルカメラを収容対象としている。
【００３７】
ブリスターパック１０は、図３の正面から見て台形形状とされ、その上半分がカメラ収容領域、下半分が付属品収容領域となっている。
【００３８】
本体１２のカメラ収容領域の中央には、所定角度傾斜された矩形状の凹陥部２２が形成されている。この凹陥部（カメラ用凹陥部）２２の縦横の寸法は、収容されるカメラの縦横寸法に対応している。また、奥行き寸法は、カメラの奥行き寸法よりも若干小さく形成されている。このため、このカメラ用凹陥部２２に収容されるカメラ１６は、前面が若干突出した状態で収容される。
【００３９】
これに対して、保護カバー１４には、前記カメラ用凹陥部２２から若干突出したカメラ１６の厚み分に対応して浅底の凹陥部２６（図１の手前に凸）が形成されている。これにより、本体１２と保護カバー１４とが重ね合わされた状態では、カメラ１６は、その周囲全体が取り囲まれ、保持されることになる。
【００４０】
前記カメラ用凹陥部２２の底部には、収容されるカメラ１６のファインダー位置に合わせて円筒形の突起部２８（図３の奥側に凸）が形成されている。この突起部２８の先端面は、透過率が高い、ほぼ完全透明とされ、パッケージング状態でファインダーを覗くことができる。
【００４１】
また、円筒形の突起部２８全体としては、ブリスターパック１０が転倒したときの緩衝部材としての機能を持っており、カメラ自体への衝撃力を吸収することができる構造となっている。
【００４２】
このカメラ用凹陥部２２の周囲の図３の左右位置には、一対の突起部（図３の手間側に凸）３０が形成されており、前記保護カバー１４に設けられた突起部（図１の手前側に凸）３２と対応している。
【００４３】
すなわち、突起部３０、３２は、本体１２と保護カバー１４との重ね合わせ時の位置決め用としての役目を持つ。
【００４４】
本体１２の付属品収容領域は、全体が矩形状の凹陥部（付属品用凹陥部）２４とされ、取扱説明書、ＡＣ電源アダプター、ビデオ接続コード、パーソナルコンピュータ用の接続コード等の付属品が収容されている。
【００４５】
付属品用凹陥部２４の縦横寸法は、最も外径寸法が大きい取扱説明書の外径寸法とほぼ一致しており、がたつくことなく収容することができる。
【００４６】
また、この付属品用凹陥部２４の上辺には、一対の細幅切欠部３４が形成されている。この切欠部３４は、取扱説明書を取り出すときに、購入者が指等を挿入するためのものであり、これにより、緊密に収容された取扱説明書が取り出し易くなる。
【００４７】
さらに、付属品用凹陥部２４に付属品が収容された状態で、その上に台紙３６（図４（Ａ）参照）が載置されている。図４（Ａ）に示される如く、この台紙３６には、収容されるカメラの機種名や型式が記載されると共にカメラを使用している図柄等がプリントされている。
【００４８】
台紙３６は、前記カメラ用凹陥部２２まで至っており、このカメラ用凹陥部２２に対応した貫通孔３８が設けられている。この台紙３６の配置により、カメラ１６は露出させ、付属品のみを隠すことができる。なお、図４（Ｂ）及び（Ｃ）のような変形例であってもよい。
【００４９】
付属品用凹陥部２４に対向する保護カバー１４の面は、下方から見て幅方向を中央が凸となる大きな曲率半径の曲面、所謂かまぼこ型となっている。これは、保護カバー１４の真空成形による結果であり、保護カバー１４に膨らみを持たせ、見栄えの向上に役立っている。
【００５０】
また、かまぼこ面は、透過率が最も高い、ほぼ完全透明とされ、台紙３６に記載された内容が明確に見えるようになっている。
【００５１】
さらに、この保護カバー１４の透明となった面の上端部の左右角部からは、カメラ用凹陥部２２が形成される上方に細幅帯状に延設されている。この面は、前記カメラ用凹陥部２２の周囲面とよりも高位となっているため、カメラ用凹陥部２２の周縁からみると、帯状の突起部４０に囲まれた形状となる。このような形状とすることで、転倒時にカメラの表面側の保護カバー１４に形成された浅底の凹陥部２６（図１の手前に凸）よりも先に衝撃を受け、当該凹陥部２６を介してのカメラ１６への衝撃の入力を回避することができる。
【００５２】
ブリスターパック１０を構成する本体１２及び保護カバー１４の周縁には、全周に亘りフランジ４２、４４が一体形成されている。前記突起部３０、３２によって位置わせされて重ね合わされた本体１２と保護カバー１４とは、このフランジ４２、４４の合わせ面を接合するようになっている。
【００５３】
この接合は、本実施の形態では、超音波溶着が採用されている。超音波溶着は、図５に示される如く、超音波を発するホーン４６と、ワーク（本体１２又は保護カバー１４）を位置決めする受け台４８とで構成されており、受け台４８にワークを載置し、ホーン４６との間で所定の圧力で挟持して、超音波振動を加えることにより、局部的な摩擦熱が発生し、ワークを溶融し接合させるものである。
【００５４】
超音波溶着を行うに当たり、従来は、ワークに突起部を設けるようにしているが、本実施の形態では、受け台４８に突起部５０が形成されているため、ワークへの加工は不要である。
【００５５】
接合後は、受け台４８に対向する本体１２のフランジ４２に凹部ができるが、保護カバー１４のフランジ４４は平坦のままとなる。
【００５６】
また、受け台４８に設けた突起部５０は、所定のピッチで設けられているが、フランジ４２、４４の角部については、図６に示される如く、前記所定のピッチよりも狭いピッチとされ、角部を強固に接合するようになっている。これにより、角部に落下等による衝撃が加わっても、角部からはがれるようなことはない。
【００５７】
前記保護カバー１４と、周囲に形成されフランジ４４と、の間は、断面形状が階段状とされ、その山側の角部はＲ形状とされ、谷側の形状は逆Ｒ形状とされ、全て曲線に連続されている（図７参照）。
【００５８】
本体１２の背側における付属品用凹陥部の底面には、一対の突起部５２が形成されている。この突起部５２は、カメラ用凹陥部２２が上、付属品用凹陥部２４が下になるように立てかけたときの支えとなるものであり、このブリスターパック１０単体でテーブル等に自立することができる。また、付属品用凹陥部２４に付属品１８が収容されている状態では、この突起部５２の近傍が重心となるため、転倒しにくい構造となっている（図８参照）。
【００５９】
以下に本実施の形態の作用を説明する。
【００６０】
ブリスターパック１０へ商品を収容する場合、カメラ１６と付属品１８とを、別々の凹陥部２２、２４へ収容する。すなわち、カメラ１６はカメラ用凹陥部２２に収容することで、がたつかずに保持され、付属品１８は付属品用凹陥部２４に収容することで、複数の付属品をまとめて収容することができる。
【００６１】
また、カメラ１６を付属品と分けて収容することにより、カメラ１６が展示状態で見えなくなるようなことはなく、確実に消費者の目にとまる状態で展示することができる。
【００６２】
さらに、付属品１８は台紙３６で覆われるため、外部からは見えず、見栄えがよい。
【００６３】
ブリスターパック１０の組み付け手順は、まず、上記のようにカメラ１６及び付属品１８を所定の凹陥部２２、２４へ収容した後、台紙３６を載せる。この台紙３６には、本体１２のカメラ用凹陥部２２の左右に形成された突起部３０に嵌入する円孔３６Ａが形成されているため、容易に位置決めすることができる。
【００６４】
さらに、この上から保護カバー１４を前記突起部３０と保護カバー１４に形成された突起部３２とを合わせるように嵌め込むことで周囲のフランジ４２、４４が重ね合わされる。
【００６５】
このように、位置決め用の突起部３０，３２をカメラ用凹陥部２２の近傍に設けることで、本体１２と保護カバー１４との合わせに位置ずれがあっても、カメラ１６を収容する領域への影響を最小限に抑えることができる。言い換えると、最低限カメラ１６は確実に梱包保持することができる。
【００６６】
このアッセブリ状態のブリスターパック１０を超音波溶着用の受け台４８へ位置決めし、ホーン４６との間に挟持し超音波溶着を実行する。ここで、本実施の形態では、受け台４８に突起部５０を形成しているため、フランジ４２、４４には何ら形成する必要はない。
【００６７】
前記突起部５０において超音波による分子間の接合がなされ、フランジ４２、４４は接合される。なお、このとき、受け台４８には、フランジ４４の角部に相当する位置には、他よりも多くの突起部５０が形成されているため、応力が集中し易い角部の溶着強度を高めることができる。この結果、落下等により衝撃が加わっても、本体１２と、保護カバー１４とが分離するような不具合はない。
【００６８】
ブリスターパック１０は、吊り下げ状態で展示するための長孔２０が形成されているため、大型量販店での展示陳列に適しているが、例えば目玉商品として吊り下げ展示ではなく、特設のテーブル上に展示する必要が生じる場合がある。
【００６９】
この場合、本実施の形態のブリスターパック１０では、脚部としての機能する突起部５２を予め設けてあるため、比較的重い付属品用凹陥部２４を下にして立てかけることができる。ここで、重心が下部にあるため、立てかけ状態は何ら補助を受けることなく、確実に維持される。
【００７０】
本実施の形態のブリスターパック１０は、直線や角部を極力削減しており、、保護カバー１４の付属品用凹陥部２４に対応する前面はかまぼこ型の曲面とすることで、見栄えがよくなり、周囲のフランジ４４へといたる段差部においては、山側はＲ形状、谷側は逆Ｒ形状とし、消費者が把持するときの違和感がなくなると共に、ブリスターパック成形によく用いられる真空成形の際の外観不良を低減させることができる。
【００７１】
また、立てかけ展示をした場合、完全に転倒を防止することはできず、なんらかの外からの衝撃で転倒する可能性もある。そこで、本実施の形態では、保護カバー１４のカメラ１６の一部が収容される浅底の凹陥部２６（図１の手前に凸）の回りに、この手前に突出する寸法よりも大きい寸法の帯状の突起部４０を設けたため、誤って前方に転倒した場合は、この帯状の突起部４０が先に衝撃を受け、この衝撃を吸収するため、カメラ１６へ衝撃が加わることは回避できる。
【００７２】
また、カメラ用凹陥部２２の背側には、円筒状の突起部２８が形成されているため、後方に転倒したときはこの円筒状の突起部２８が最先に衝撃を受け、カメラ１６への衝撃入力を軽減することができる。
【００７３】
なお、この突起部２８は、収容されたカメラ１６のファインダー位置となっており、先端面は完全透明となっているため、パーケッジング状態でカメラ１６のファイダーを覗くことができる。
【００７４】
また、本実施の形態のブリスターパック１０では、カメラ１６を斜めに保持しているため、縦型のカメラであっても横型のカメラであっても、展示状態で違和感を感じることがなく、外径寸法がほぼ一致していれば、共通に利用することができる。
【００７５】
なお、本実施の形態のブリスターパックにおいて、本体１２及び保護カバー１４を紫外線カット層を設けることで、直接日光に当たるような店頭に長期間展示しても、中のカメラ等の色褪せるようなことを防止することができる。
【００７６】
また、上記ブリスターパック１０には、内部のエアを抜くための貫通孔を設ける必要があるが、この貫通孔５４を図９に示される如く、カメラ用凹陥部２２のＡＣ電源接続位置に設けることで、通常はエア抜き用として利用でき、例えば、ＬＣＤ表示を行いながら展示するような場合に、外部からＡＣ電源を取ることが可能となる。
【００７７】
さらに、本実施の形態では、本体１２と保護カバー１４とを別体としたが、例えば、下辺或いは左右の辺の１つを連結させ、見開き状態でカメラ１６や付属品１８を収容し、前記連結辺を中心に保護カバー１４を回転して閉じる、といった構造であってもよい。
【００７８】
【発明の効果】
以上説明した如く本発明に係るカメラ販売用パッケージは、カメラ等の精密品、特に付属品が多くあるデジタルカメラをブリスターパックによって展示陳列する場合に、展示状態で見栄えを損なうことなく、効率よくカメラ本体及び付属品を収容することができるという優れた効果を有する。
【図面の簡単な説明】
【図１】  本実施の形態に係るブリスターパックの分解斜視図である。
【図２】  本実施の形態に係るブリスターパックのパッケージング状態を示す斜視図である。
【図３】  ブリスターパックの本体の正面図である。
【図４】  （Ａ）は本実施の形態の台紙の斜視図であり、（Ｂ）及び（Ｃ）はその変形例である。
【図５】  超音波溶着機の概略図である。
【図６】  フランジにおける超音波溶着の打点位置を示す斜視図である。
【図７】  ブリスターパックの周縁の処理を示す一部側面拡大図である。
【図８】  ブリスターパックを立てかけた状態を示す側面図である。
【図９】  カメラ用凹陥部を後方から見た斜視ずである。
【符号の説明】
１０    ブリスターシパック
１２    本体
１４    保護カバー
１６    カメラ
１８    付属品
２２    カメラ用凹陥部
２４    付属品用凹陥部
２８    突起部
３０    突起部
３２    突起部
３６    台紙
４０    突起部
４２、４４    フランジ
４６    ホーン
４８    受け台
５０    突起部
５２    突起部
５４    貫通孔
【図１】
0003971065.tif 000002
【図２】
0003971065.tif 000003
【図３】
0003971065.tif 000004
【図４】
0003971065.tif 000005
【図５】
0003971065.tif 000006
【図６】
0003971065.tif 000007
【図７】
0003971065.tif 000008
【図８】
0003971065.tif 000009
【図９】
0003971065.tif 000010